(57)【要約】測位基準信号を管理するための方法およびユーザ装置(110)ならびに方法および無線送信機(120)が開示される。さらに、測位基準信号を設定するための方法およびネットワークノード(130)が開示される。ネットワークノード(130)は、ユーザ機器(110)へと測位基準信号の受信設定を送信し(A050)、前記受信設定は前記無線送信機(120)に関するセルIDと測位基準信号を決定するための識別子とを含む。ネットワークノード(130)は、無線送信機(120)へと測位基準信号の送信設定を送信し(A070)、前記送信設定は前記セルIDと前記識別子とを含む。無線送信機(120)は、測位基準信号を、セルIDおよび識別子に基づいて決定する(A090)。無線送信機(120)はユーザ機器(110)へと測位基準信号を送信する(A100)。ユーザ機器(110)は、測位基準信号に基づいて、ユーザ機器(110)の位置に関する信号特性を推定する(A120)。ユーザ機器(110)は、推定された前記信号特性に関するレポートをネットワークノード(130)に送信する(A130)。対応するコンピュータプログラムおよびそのための担体も開示される。【選択図】図6
2019523390.tif 000002
【特許請求の範囲】
【請求項１】
ユーザ機器(110)により実行される、測位基準信号を管理するための方法であって、
ネットワークノード(130)から、無線送信機(120)に関する前記測位基準信号の受信設定を受信すること(A060)であって、前記受信設定は前記無線送信機(120)に関するセルIDと前記測位基準信号を決定するための識別子とを含む、ことと
前記受信設定に従って、前記無線送信機(120)からの前記測位基準信号を受信すること(A110)と、
前記測位基準信号に基づいて、前記ユーザ機器(110)の位置に関する信号特性を推定すること(A120)と、
推定された前記信号特性に関するレポートを前記ネットワークノード(130)に送信すること(A130)と、
を含む方法。
【請求項２】
請求項1に記載の方法であって、前記セルIDは、物理セルIDおよび拡張セルIDうちの1つを含む、方法。
【請求項３】
請求項1または2に記載の方法であって、前記方法は、
前記ネットワークノード(120)から、能力要求を受信すること(A020)と、
能力に関する応答を前記ネットワークノード(130)に送信すること(A030)であって、前記応答は、前記識別子に基づく測位基準信号のサポートに関する第1の指示を含むことと
を含む方法。
【請求項４】
請求項3に記載の方法であって、請求項2に従属する場合に、前記応答は、前記拡張セルIDに基づく測位基準信号のサポートに関する第2の指示を含む、方法。
【請求項５】
無線送信機(120)により実行される、測位基準信号を管理するための方法であって、前記方法は、
ネットワークノード(130)から前記測位基準信号の送信設定を受信すること(A080)であって、前記送信設定は前記無線送信機(120)に関するセルIDと測位基準信号を決定するための識別子とを含む、ことと
前記測位基準信号を、前記セルIDおよび前記識別子に基づいて決定すること(A090)と、
前記測位基準信号を送信すること(A100)と
を含む方法。
【請求項６】
請求項5に記載の方法であって、前記セルIDは、物理セルIDおよび拡張セルIDのうちの1つを含み、前記測位基準信号を決定することは、さらに、前記拡張セルIDに基づく、方法。
【請求項７】
ネットワークノード(130)により実行される、測位基準信号を構成するための方法であって、
ユーザ機器(110)へと測位基準信号の受信設定を送信すること(A050)であって、前記受信設定は前記無線送信機(120)に関するセルIDと測位基準信号を決定するための識別子とを含む、ことと
無線送信機(120)へと測位基準信号の送信設定を送信すること(A070)であって、前記送信設定は前記セルIDと前記識別子とを含む、ことと
を含む方法。
【請求項８】
請求項7に記載の方法であって、前記方法は、
前記ユーザ機器(110)から、前記測位基準信号のシーケンスに関する推定された前記信号特性についてのレポートを受信すること(A140)
を含む、方法。
【請求項９】
請求項7または8に記載の方法であって、前記セルIDは、物理セルIDおよび拡張セルIDうちの1つを含む、方法。
【請求項１０】
請求項7乃至9のいずれか一項に記載の方法であって、前記方法は、
ユーザ機器(110)へと、能力要求を送信すること(A010)と、
能力に関する応答を前記ユーザ機器(110)から受信すること(A040)であって、前記応答は、測位基準信号を決定するための識別子に基づく測位基準信号のサポートに関する第1の指示を含むことと
を含む方法。
【請求項１１】
請求項10に記載の方法であって、請求項9に従属する場合に、前記応答は、前記拡張セルIDに基づく測位基準信号のサポートに関する第2の指示を含む、方法。
【請求項１２】
コンピュータプログラム(703)であって、ユーザ機器(110)で実行されたときに、前記ユーザ機器(110)により請求項1乃至4のいずれか一項に記載の方法を実行させるコンピュータ可読コードユニットを含む、コンピュータプログラム(703)。
【請求項１３】
請求項12に記載の前記コンピュータプログラムを含む担体(705)であって、前記担体(705)は、電子信号と光信号と無線信号とコンピュータ可読媒体のひとつである、担体(705)。
【請求項１４】
コンピュータプログラム(803)であって、無線送信機(120)で実行されたときに、前記無線送信機(120)により請求項5または6に記載の方法を実行させるコンピュータ可読コードユニットを含む、コンピュータプログラム(803)。
【請求項１５】
請求項14に記載の前記コンピュータプログラムを含む担体(805)であって、前記担体(805)は、電子信号と光信号と無線信号とコンピュータ可読媒体のひとつである、担体(805)。
【請求項１６】
コンピュータプログラム(903)であって、ネットワークノード(130)で実行されたときに、前記ネットワークノード(130)により請求項7乃至11のいずれか一項に記載の方法を実行させるコンピュータ可読コードユニットを含む、コンピュータプログラム(903)。
【請求項１７】
請求項16に記載の前記コンピュータプログラムを含む担体(905)であって、前記担体(905)は、電子信号と光信号と無線信号とコンピュータ可読媒体のひとつである、担体(905)。
【請求項１８】
測位基準信号を管理するよう構成されたユーザ機器(110)であって、前記ユーザ機器(110)は、
ネットワークノード(130)から、無線送信機(120)に関する前記測位基準信号の受信設定を受信し、前記受信設定は前記無線送信機(120)に関するセルIDと前記測位基準信号を決定するための識別子とを含み、
前記受信設定に従って、前記無線送信機(120)からの前記測位基準信号を受信し、
前記測位基準信号に基づいて、前記ユーザ機器(110)の位置に関する信号特性を推定し、
推定された前記信号特性に関するレポートを前記ネットワークノード(130)に送信する、
ように構成されたユーザ機器(110)。 
【請求項１９】
請求項18に記載のユーザ機器(110)であって、前記セルIDは、物理セルIDおよび拡張セルIDうちの1つを含む、ユーザ機器(110)。
【請求項２０】
請求項18または19に記載のユーザ機器(110)であって、前記ユーザ機器(110)は、前記ネットワークノード(130)から能力要求を受信し、前記ネットワークノード(130)へと能力に関する応答を送信し、前記応答は、前記識別子に基づく測位基準信号のサポートに関する第1の指示を含む
よう構成される、ユーザ機器(110)。
【請求項２１】
請求項20に記載のユーザ機器(110)であって、請求項19に従属する場合に、前記応答は、前記拡張セルIDに基づく測位基準信号のサポートに関する第2の指示を含む、ユーザ機器(110)。
【請求項２２】
測位基準信号を管理するよう構成された無線送信機(120)であって、前記無線送信機(120)は、
ネットワークノード(130)から前記測位基準信号の送信設定を受信し、前記送信設定は前記無線送信機(120)に関するセルIDと測位基準信号を決定するための識別子とを含み、
前記測位基準信号を、前記セルIDおよび前記識別子に基づいて決定し、
前記測位基準信号を送信する
よう構成される無線送信機(120)。
【請求項２３】
請求項22に記載の無線送信機(120)であって、前記セルIDは、物理セルIDおよび拡張セルIDのうちの1つを含み、前記測位基準信号を決定することは、さらに、前記拡張セルIDに基づく、無線送信機(120)。
【請求項２４】
測位基準信号を管理するよう構成されたネットワークノード(130)であって、前記ネットワークノード(130)は、
ユーザ機器(110)へと測位基準信号の受信設定を送信し、前記受信設定は前記無線送信機(120)に関するセルIDと測位基準信号を決定するための識別子とを含み、
無線送信機(120)へと測位基準信号の送信設定を送信し、前記送信設定は前記セルIDと前記識別子とを含む、
よう構成されたネットワークノード(130)。
【請求項２５】
請求項24に記載のネットワークノード(130)であって、ユーザ機器(110)から、前記測位基準信号のシーケンスに関する推定された前記信号特性に関するレポートを受信するようさらに構成されたネットワークノード(130)。
【請求項２６】
請求項24または25に記載のネットワークノード(130)であって、前記セルIDは、物理セルIDおよび拡張セルIDうちの1つを含む、ネットワークノード(130)。
【請求項２７】
請求項24乃至26のいずれか一項に記載のネットワークノード(130)であって、前記ネットワークノード(130)は、
ユーザ機器(110)へと、能力要求を送信し、
能力に関する応答を前記ユーザ機器(110)から受信し、前記応答は、測位基準信号を決定するための識別子に基づく測位基準信号のサポートに関する第1の指示を含む
よう構成されたネットワークノード(130)。
【請求項２８】
請求項27に記載のネットワークノード(130)であって、請求項26に従属する場合に、前記応答は、前記拡張セルIDに基づく測位基準信号のサポートに関する第2の指示を含む、ユーザ機器(110)。
【発明の詳細な説明】
【技術分野】
【０００１】
本明細書の実施形態は、セルラネットワークのような無線通信システムに関する。特に、測位基準信号を管理するための方法およびユーザ装置ならびに方法および無線送信機が開示される。さらに、測位基準信号を設定するための方法およびネットワークノードが開示される。対応するコンピュータプログラムおよびそのための担体も開示される。
【背景技術】
【０００２】
位置ベースのサービスと緊急コールの測位は、ワイヤレスネットワークにおける測位の発展を促進する。第3世代パートナーシッププロジェクト長期発展（3GPP LTE）における測位サポートがリリース9で導入された。これにより、事業者は、位置ベースのサービスのために位置情報を取得し、規制上の緊急コール測位要件を満たすことができる。 
LTEにおける位置決定は、ユーザ機器（UE）とE-SMLC（Enhance Serving Mobile Location Center）などのロケーションサーバとの間の直接的な相互作用によってサポートされ、LTE測位プロトコル（LPP）を介して行われる。また、ロケーションサーバとeNodeB（例えば無線基地局）との間にも、無線リソース制御（RRC）プロトコルを介したeNodeBとUEとの間の相互作用によってある程度サポートされた、LPPaプロトコルを介した相互作用がある。
【０００３】
LTEでは以下の測位技術が考慮されている。
・拡張セル識別（ID）。本質的には、UEを在圏セルの在圏エリアに関連付けるためのセルID情報で、次いでより細かい粒度位置を決定するための追加情報。
・アシスト付きグローバルナビゲーション衛星システム（Assisted GNSS）。UEによって検索された、E-SMLCからUEに提供される支援情報によってサポートされる、GNSS情報
・観測された到着時間差（OTDOA）。UEは、異なる基地局からの基準信号の時間差を推定し、マルチラテレーションのためにE-SMLCへ送信する。
・アップリンクの到着時間差（UTDOA）。UEは、例えば既知の位置にあるeNBなど、複数の位置測定ユニットによって検出された特定の波形を送信するように要求される。これらの測定値は、マルチラテレーションのためにE-SMLCに転送される。
【０００４】
全地球測位システム（GPS）対応端末は、測位の要件を満たすことができるが、都市および屋内環境で衛星信号がブロックされるため、必要な可用性を提供することができない。したがって、そのような環境では別の技術が必要とされる。OTDOAは、ダウンリンク（DL）測位方法として3GPPリリース9で導入された。図1に示すように、LTEにおけるOTDOAは、UEがeNBから受信した信号の到着時間（Time Of Arrival：TOA）を測定することに基づいている。UEは、基準セル時間差（RSTD）測定として定義される、基準セルと別の特定セルとの間の相対差を測定する。そのようなRSTDはすべて双曲線を決定し、これらの双曲線の着目点はUEの位置と考えることができる。ここで、基準セルはUEによって選択され、RSTD測定はイントラ周波数セル上で実行することができる、すなわち基準セル/隣接セルは在圏セルまたはインター周波数セルと同じキャリア周波数上にある、すなわち基準セル/隣接セルの少なくとも1つは、在圏セルとは異なる搬送波周波数上にある。
【０００５】
PRSおよびその設定
原理的には、任意のダウンリンク信号、例えばセル固有基準信号（Cell-specific Reference Signals：CRS）上のRSTDを測定することが可能である。しかし、OTDOAにおけるように、UEは複数の隣接セル信号を検出する必要があるので、これらの信号は聞き取り難い。そのため測位基準信号」(PRs)が、OTDOAの測位性能を改善するために導入された。図2aおよび図2bおよび図3aおよび図3bは、それぞれ通常のサイクリックプレフィックス（CP）および拡張CPを使用して1つのリソースブロックに対するPRS割り当て済みリソースの配置を示す。このようなPRSサブフレームでは、隣接セルとの干渉を低減するために、物理ダウンリンク共有チャネル（PDSCH）データは搬送されない。物理ダウンリンク制御チャネル（PDCCH）とCRSはサブフレームに保持され、一方PRSはCRS間の「対角」方向に分散される。CRSと同様に、セル固有周波数シフト、すなわち周波数シフトv_shiftの数は、6を法とする物理セル識別（PCI）によって与えられ、PRSパターンに適用され、6つの隣接セルまでの時間周波数PRS衝突の回避に役立つ。 
LTEシステムでは、連続PRSサブフレーム、別名測位オケージョンは、ダウンリンクで周期的に送信される。1つの測位オケージョンは、最大6つの連続するPRSサブフレームを含むことができる。1回の測位オケージョンの周期は、TPRS = 160、320、640および1280ミリ秒ごとに設定できる。時分割複信（TDD）モードでは、アップリンクサブフレームおよび他の特殊フレームはPRSを含むことができないことに留意されたい。PRS送信スケジュールを特徴付ける別のパラメータは、SFN = 0に対するPRS送信の開始サブフレームを定義するセル固有サブフレームオフセットである。表1に示すように、PRS周期性TPRSおよびサブフレームオフセットΔPRSは、PRS設定インデックスIPRSから導出される。
【０００６】
【表１】
2019523390.tif 000003
【０００７】
PRSミューティング
場合によっては、特に密集配置では、セル固有周波数シフトだけでは隣接セルからの干渉を回避するには不十分なことがある。そこで、PRSミューティングは、定期的な「ミューティングパターン」に基づいて他のセルでPRS送信をミュートすることによって、セル間干渉をさらに低減するために導入された。セルのPRSミューティング構成は、TREPの周期性を有する周期的なミュートシーケンスによって定義され、ここで、PRSポジショニングオケージョンの数で数えられたTREPは、2、4、8または16であり得る。対応して、PRS構成は、長さ2、4、8または16のビット列によって表される。
【０００８】
シーケンス生成
1つの周波数シフトに対して図2a-2b、図3a-3bに示されるリソース中のアンテナポート6上で送信されるPRSシーケンスは、数式１によって定義される基準信号シーケンスrl,ns(m)により生成される。
【０００９】
【数１】
2019523390.tif 000004
【００１０】
ここで、nsは無線フレーム内のスロット番号であり、lはスロット内のOFDMシンボル番号である。
【００１１】
シ-ケンスc(n)は数式2により定義される。
【００１２】
【数２】
2019523390.tif 000005
【００１３】
ここでNc=1600であり、第１のm-シーケンスはx1(0)=1、x1(n)=0、n=1,2,...,30により初期化されるべきである。第２のm-シーケンスの初期化は数式3で表される。
【００１４】
【数３】
2019523390.tif 000006
【００１５】
ここで疑似ランダムシーケンスジェネレータは数式4で初期化されるべきである。
【００１６】
【数４】
2019523390.tif 000007
【００１７】
マクロセルカバレッジエクステンションのための送信ポイント
マクロセル内のリモート無線ヘッド（RRH）としても知られる分散型低電力送信ポイント（TP）の意図は、マクロセルのカバレッジを改善することである。これは、マクロセルのカバレッジ領域の一部が、図4に示すように、TPのより小さなカバレッジ領域によってカバーされることを意味する。TPはファイバを介してeNBに接続され、非連結TPは関連するマクロセルと同一のPCIを有してよい。PRSはマクロセルのPCIに基づいて生成され、同一のPRSシーケンスは複数のTPによって送信される。
【００１８】
セルポーション
セルポーションの概念はLTE仕様のリリース12で導入された。セルポーションはセルの地理的な一部である。セルポーションは準静的であり、アップリンク(UL)およびダウンリンク(DL)の両方に対して同一である。セル内部で、セルポーションはセルポーションIDにより固有に識別される。この「セルポーションID」パラメータは、ターゲットUEと関連付けられた現在のセルポーションを与える。セルポーションIDはセル内のセルポーションの固有な識別子である。
【００１９】
UEがレポートしたRSTD測定を特定のTP/セルと一意に関連付けることができない場合には、ロケーションサーバは、UEによって測定されたPRSのための対応するTP/セルの実際の位置座標を知らない。この問題はPCI曖昧性問題として知られており、方向されたRSTDに大きな誤差を生じさせる可能性があり、その結果測位精度を著しく低下させる可能性がある。この問題には、この問題の解決を難しくしているいくつかの状況がある。
【００２０】
１）いくつかのTPは、それらが関連するマクロセルと同じPRSシーケンスを送信する。そのような展開シナリオの一つの解決法は関連するTPから送信するのではなくマクロセルのみからPRSを送信することである。しかしながら、TPが利用されないので、これは測位のための可能なUEの測定値の数を減少させる。
【００２１】
２）物理的セルIDの数は制限されており、したがって高密度セルラネットワークでは、適切なミュート手順が起動される場合、UEは同じPCIを有するセルを聞く可能性がある。同じPCIを有する2つのセルが（１）に従って同じPRSシーケンスを生成するので、これはPCI曖昧性問題の別のシナリオである。
【発明の概要】
【００２２】
一つの目的は、上記のシナリオでRSTDレポートの改善を可能にし、および/またはRSTDレポートの精度を向上させることである。
【００２３】
一態様によれば、その目的は、測位基準信号を管理するための、ユーザ機器によって実行される方法によって達成される。ユーザ機器は、ネットワークノードから、無線送信機に関連する測位基準信号の受信設定を受信する。受信設定は、無線送信機に関するセルIDと、測位基準信号を決定するための識別子とを含む。さらに、ユーザ機器は、受信設定に従って、無線送信機からの測位基準信号を受信する。ユーザ機器はまた、測位基準信号に基づいて、ユーザ機器の位置に関する信号特性を推定する。さらに、ユーザ機器は、推定された信号特性に関するレポートをネットワークノードに送信する。
【００２４】
別の態様によれば、その目的は、測位基準信号を管理するために構成されたユーザ機器によって達成される。ユーザ機器は、ネットワークノードから、無線送信機に関連する測位基準信号の受信設定を受信する用構成される。受信設定は、無線送信機に関するセルIDと、測位基準信号を決定するための識別子とを含む。さらに、ユーザ機器は、受信設定に従って、無線送信機からの測位基準信号を受信する用構成される。ユーザ機器はまた、測位基準信号に基づいて、ユーザ機器の位置に関する信号特性を推定するよう構成される。さらに、ユーザ機器は、推定された信号特性に関するレポートをネットワークノードに送信するよう構成される。
【００２５】
更なる態様によれば、その目的は、測位基準信号を管理するための、無線送信機によって実行される方法によって達成される。無線送信機は、ネットワークノードから、測位基準信号の送信設定を受信する。送信設定は、無線送信機に関するセルIDと、測位基準信号を決定するための識別子とを含む。次に、無線送信機が測位基準信号を、セルIDおよび識別子に基づいて決定する。さらに、無線送信機が測位基準信号を送信する。
【００２６】
更に他の態様によれば、その目的は、測位基準信号を管理するために構成された無線送信機によって達成される。無線送信機は、ネットワークノードから、測位基準信号の送信設定を受信するよう構成される。送信設定は、無線送信機に関するセルIDと、測位基準信号を決定するための識別子とを含む。さらに、無線送信機が測位基準信号を、セルIDおよび識別子に基づいて決定するよう構成される。さらに、無線送信機が測位基準信号を送信するよう構成される。
【００２７】
更に他の態様によれば、その目的は、測位基準信号を設定するための、ネットワークノードによって実行される方法によって達成される。ネットワークノードは、ユーザ機器に、測位基準信号の受信設定を送信する。受信設定は、無線送信機に関するセルIDと、測位基準信号を決定するための識別子とを含む。さらに、ネットワークノードは、無線送信機に、測位基準信号の送信設定を送信する。送信設定は、セルIDと識別子とを含む。
【００２８】
更に他の態様によれば、その目的は、測位基準信号を設定するために構成されたネットワークノードによって達成される。ネットワークノードは、ユーザ機器に、測位基準信号の受信設定を送信するよう構成される。受信設定は、無線送信機に関するセルIDと、測位基準信号を決定するための識別子とを含む。さらに、ネットワークノードは、無線送信機に、測位基準信号の送信設定を送信するよう構成される。送信設定は、セルIDと識別子とを含む。
【００２９】
更なる態様によれば、その目的は、上記態様に対応するコンピュータプログラムおよびそのための担体によって達成される。
【００３０】
ユーザ機器および無線送信機に関するいくつかの実施形態では、測位基準信号の決定はcinitの初期化により実行され、それは、同じPCIを有するセルに対する直交PRSシーケンスを生成することによってPCI曖昧性の問題を低減する。いくつかの実施形態では、LPP/LPPaプロトコルは、3ビットの追加シーケンス識別子（ASID）要素のような識別子を導入することによって拡張され、それはまた非連結(non-collocated)TP展開シナリオにおけるTPを区別するためにも使用され得る。別の実施形態では、LPP/LPPaプロトコルは、12ビットのASID要素で拡張される。
【００３１】
いくつかの実施形態によれば、PCI曖昧性を緩和し、TP固有のPRSパターンを可能にすることの利点は、cinitの初期化およびLPP/LPPaプロトコルへの拡張によって達成される。
【００３２】
有利なことには、本明細書の実施形態は、少なくとも前述の識別子、すなわち測位基準信号を決定するための識別子の使用により、同じPCIを有するセルの直交PRSシーケンスを生成することによって、PCI曖昧性が緩和されるおかげで、測位精度を向上させる。
【００３３】
さらに、少なくともいくつかの実施形態は、同じPCIを有するセルについてRSTD測定値をレポートする実現性を可能にし、ここでセルは少なくとも識別子によって区別される。
【００３４】
さらに、少なくともいくつかの実施形態はTP固有PRSのサポートを提供する。
【００３５】
PCIの曖昧性を緩和し、したがって位置推定の精度を向上させるという利点の他に、いくつかの実施形態は、cinitの初期化およびASID情報要素のような識別子を用いる拡張LPP/LPPaを導入する。
【００３６】
別の利点は、より多くのPRSシーケンスを有するために、ネットワーク内に新しいセル（または小さなセル）を追加する場合、利用可能な選択肢が多いほど新しいセルのためのPRSシーケンスを計画することが実際上簡単になるということである。
【００３７】
さらに、PCIに基づく既存の計画を再利用することができ、既存のPCI計画内でより粒度の細かな構成を可能にすることで、識別子によって有効にされる追加の構成が、既存の計画に追加される。
【図面の簡単な説明】
【００３８】
本明細書で開示される実施形態の様々な態様（その特定の特徴および利点を含む）は、以下の詳細な説明および添付図面から容易に理解されるであろう。
【図１】図1は、従来技術による「観測された到着時間差」概念の概要を示す図である。
【図２ａ】図2aは時間/周波数構造を示す図である。
【図２ｂ】図2bは時間/周波数構造を示す図である。
【図３ａ】図3aは時間/周波数構造を示す図である。
【図３ｂ】図3bは時間/周波数構造を示す図である。
【図４】図4は、eNodeBおよび複数の低送信電力RRHを示す概要図である。
【図５】図5は、本明細書の実施形態を実施することができる例示的なネットワークを示すさらなる概要図である。
【図６】図6は、本明細書の方法の実施形態を示す、シグナリングおよびフローチャートを結合した図である。
【図７ａ】図7aは、ユーザ機器110における方法の実施形態を説明するフローチャートである。
【図７ｂ】図7bは、ユーザ機器110の実施形態を示すブロック図である。
【図８ａ】図8aは、無線送信機120における方法の実施形態を説明するフローチャートである。
【図８ｂ】図8bは、無線送信機120の実施形態を示すブロック図である。
【図９ａ】図9aは、ネットワークノード130における方法の実施形態を説明するフローチャートである。
【図９ｂ】図9bは、ネットワークノード130の実施形態を示すブロック図である。
【発明を実施するための形態】
【００３９】
以下の説明を通して、適用可能な場合、ノード、動作、ステップ、モジュール、回路、部品、アイテム要素、ユニットなどの類似の特徴を示すために類似の参照番号が使用されている。図面では、いくつかの実施形態に現れる特徴を破線で示す。
【００４０】
図5は本明細書の実施形態を実施することができる例示的なネットワーク100を示す。この例では、ネットワーク100は長期発展(LTE)ネットワークである。 
他の例では、ネットワーク100は、Universal Mobile Telecommunication System (UMTS）およびWorldwide Interoperability for Microwave Access (WiMAX)、Wideband Code Division Multiple Access (WCDMA)、Universal Terrestrial Radio Access (UTRA) TDD、Ultra-Mobile Broadband (UMB)、Global System for Mobile communications (GSM) ネットワーク、GSM/Enhanced Data Rate for GSM Evolution (EDGE) Radio Access Network (GERAN) network (GERAN) ネットワーク、EDGEネットワーク、例えばMulti-Standard Radio (MSR)基地局、 multi-RAT 基地局などの無線アクセス技術(RAT)の任意の組合せを含むネットワーク、第3世代パートナーシッププロジェクト(3GPP)セルラネットワーク、WiFiネットワーク、Worldwide Interoperability for Microwave Access (WiMax)、5Gシステムまたは任意のセルラネットワークまたはシステムのような、任意のセルラまたは無線通信システムであってよい。例示的な実施形態を説明するために、3GPPLTEからの用語が本明細書で使用されているが、これは、例示的な実施形態の範囲を前述のシステムに限定するものと理解されるべきではないことに留意すべきである。 
ネットワーク100には、測位アーキテクチャが示されている。ネットワーク100は、ユーザ機器110を含むと言うことができる。これは、無線通信装置110がネットワーク100の中にあることを意味する。
【００４１】
さらに、無線ネットワークノード、eNodeB等のような無線送信機120が図5に示されている。セルラネットワーク100は無線送信機120を含んでもよい。いくつかの実施形態では、ユーザ機器110は無線送信機120によりサービスされる。無線ネットワークノードは、いくつかの例では、1以上のTPのような無線送信機を、光ファイバを介して制御する。
【００４２】
さらに、ネットワーク100は、進化型サービングモバイルロケーションセンタ(Evolved Serving Mobile Location Center:E-SMLC)のようなネットワークノード130を含む。
【００４３】
ネットワークノード130は、例えばLPP上で、ユーザ機器110と通信することができる（140）。この通信は、ユーザ機器110への、及びユーザ機器110からの、両方のユーザ送信を含むことができる。 
ネットワークノード130は、例えばLPPa上で、無線送信機120と通信することができる（141）。この通信は、無線送信機120への、及び無線送信機120からの、両方のユーザ送信を含むことができる。 
さらに、図5は、測位アーキテクチャを完全にするための移動管理エンティティ（MME）およびゲートウェイ移動ロケーションセンタ（GMLC）を示す。
【００４４】
本明細書で使用される場合、用語「無線送信機」は、基地局システム(BSS)、無線ネットワークコントローラ(RNC)、無線基地局（RBS）、進化型ノードB（eNB）、1以上の遠隔無線ユニット（RRU）を制御する制御ノード、アクセスポイント、低送信電力リモート無線ヘッド（RRH）、送信ポイント等を含む。
【００４５】
本明細書で使用する場合、用語「ユーザ機器」は、無線通信装置、機械対機械（M2M）装置、携帯電話、セルラ電話、無線通信機能を備えたPDA（Personal Digital Assistant）、スマートフォン、内部または外部の移動広帯域モデムを備えたラップトップまたはパーソナルコンピュータ（PC）、ポータブル電子無線通信装置、無線通信機能を備えたセンサデバイスなどを指してよい。センサは、風、温度、気圧、湿度などのあらゆる種類の気象センサであってよい。さらなる例として、センサは、光センサ、電子スイッチまたは電気スイッチ、マイクロホン、スピーカ、カメラセンサなどであってもよい。用語「ユーザ」は、間接的に無線装置を指してもよい。時には、用語「ユーザ」は、上記のようにユーザ機器などを参照するために使用されてもよい。ユーザは、必ずしも人間のユーザを伴わなくてもよいことを理解されたい。用語「ユーザ」は、特定の機能、方法などを使用する機械、ソフトウェアコンポーネントなどを指すこともある。
【００４６】
図6は、図5のネットワーク100で実施される場合の実施形態による例示的な方法を示す。
【００４７】
ユーザ機器110は、測位基準信号を管理するための方法を実行することができる。一例として、ユーザ機器110は、測位基準信号に関連する受信設定を管理する方法を実行することができる。
【００４８】
無線送信機120は、測位基準信号を管理するための方法を実行することができる。一例として、無線送信機120は、測位基準信号に関連する送信設定を管理する方法を実行することができる。
【００４９】
ネットワークノード130は、測位基準信号を設定するための方法を実行することができる。一例として、ネットワークノード130は、測位基準信号の関する受信設定および／または送信設定のような設定を提供する方法を実行することができる。
【００５０】
通常、受信設定はLPP上で提供され、送信設定はLPPa上で提供される。本明細書の実施形態によれば、これらの設定は以下の表に示すように拡張することができる。既存の設定では、物理セルIDは指定されるが、同じ物理セルIDを持つ複数のセルの存在に依存しているIDは指定されない。特に、本明細書の実施形態によれば、セルIDは、物理セルID、拡張セルIDなどのうちの1つを含むことができる。拡張セルIDおよびその物理セルIDとの関係は、以下でさらに説明される。
【００５１】
簡単には、本明細書の実施形態は、測位基準信号の決定に使用される、物理セルIDおよび拡張セルIDとは異なる識別子を提案する。このようにして、異なるセルのために、たとえそれらが共通の物理セルIDを共有していたとしても、異なる測位基準信号を生成することができる。さらに、ユーザ機器110は、ネットワークノード130が、ユーザ機器110から、共通物理セルIDについての信号特性のレポートを識別子によって区別することを可能にすることができる。
【００５２】
さらに、いくつかの実施形態によれば、セルIDは、物理セルIDおよび拡張セルIDうちの1つを含むことができる。拡張セルIDは図6の方法の説明の後でより詳細に検討される。
【００５３】
以下の動作の1つ以上は任意の適切な順序で実行してよい。
【００５４】
本明細書で開示するような測位基準信号の生成を導入する場合、そのような測位基準信号のサポートは、UEの能力に関連してもよい。したがって、一実施形態では、ネットワークノード130は、動作A010からA040に示すように、ユーザ機器110から能力情報を取得する。
【００５５】
動作A010
ネットワークノード130は、ユーザ機器110に、能力要求メッセージなどの能力要求を送信する。能力要求は、具体的には、識別子に基づく測位基準信号のサポートに関連し得る。
【００５６】
動作A020
動作A010に続いて、ユーザ機器110は、ネットワークノード130から、能力要求を受信することができる。
【００５７】
動作A030
要求がユーザ機器110によって受信されると、ユーザ機器110は、例えば、リリースバージョンなどをチェックして、それの、すなわちユーザ機器110の能力を見つける。次に、ユーザ機器110は、能力に関する応答をネットワークノード130に送信することができ、その応答は、識別子に基づく測位基準信号のサポートに関する第1の指示を含む。その応答メッセージは能力提供(ProvideCapabilities)メッセージであってよい。
【００５８】
さらに、その応答は、拡張セルIDに基づく測位基準信号のサポートに関する第2の指示を含むことができる。
【００５９】
動作A040
動作A030に続いて、ネットワークノード130は、ユーザ機器110から、能力に関する応答を受信することができる。上述したように、応答は、測位基準信号を決定するための識別子に基づく測位基準信号のサポートに関する第1の指示を含む。
【００６０】
応答は、拡張セルIDに基づく測位基準信号のサポートに関する第2の指示を含んでよい。
【００６１】
動作A050
例えば、ネットワークノード130は、ユーザ機器110の位置に関するコマンドまたは要求（図6には図示せず）を受信すると、測位基準信号の受信設定をユーザ機器110に送信する。受信設定は、無線送信機120に関するセルIDと、測位基準信号を決定するための識別子とを含む。したがって、受信設定は、動作A040で受信された応答に依存してよい。通常、それは、ユーザ機器110が、IDが受信設定に含まれているというIDに基づいた測位基準信号をサポートする場合のみである。
【００６２】
動作A060
動作A050に続いて、ユーザ機器110は、ネットワークノード130から、無線送信機120に関連する測位基準信号の受信設定を受信する。説明したように、受信設定は、無線送信機120に関するセルIDと、例えば必要に応じて測位基準信号を決定するための識別子とを含む。
【００６３】
動作A070
さらに、ネットワークノード130に戻ると、ネットワークノード130は、測位基準信号の送信設定を無線送信機120に送信する。送信設定は、動作A050で送信された受信設定に対応するセルIDおよび識別子を含む。この動作は、動作A050の前に実行することができる。
【００６４】
しかし、動作A050およびA070の前に、ネットワークノード130は、ユーザ機器110が識別子の使用をサポートする場合、識別子の値を決定してもよい。
【００６５】
第1の実施形態によれば、ネットワークノード130は、各無線送信機、別名無線ネットワークノードについて識別子をランダムに設定する。
【００６６】
第2の実施形態によれば、ネットワークノード130は、無線送信機に関する位置情報を用いて、同じ物理セルIDを有する無線送信機120の識別子を決定することができる。例えば、近接して位置する同一のPCIを有する2つの無線送信機は、ロバストな位置決めのために直交PRSシーケンスを保証するために、異なる識別子、すなわち、異なる識別子の値を使用する。 
第3の実施形態によれば、ネットワークノード130は以前のUEのRSTD測定レポートに基づいた識別子を設定し、例えば多くの誤ったRSTD測定値が特定の無線送信機120に関連するならば、ネットワークノード130は、その無線送信機120に一つの識別子を割り当てて、その結果別の直交PRSシーケンスを生成する。
【００６７】
第4の実施形態によれば、ネットワークノード130は、UE能力レポートに基づいて識別子を設定し、ユーザ機器110などの1つ以上の装置が識別子に基づいた測位基準信号をサポートするならば、識別子が使用される。次に、ネットワークノード130は、上記の実施形態のいずれかに従った識別子（例えばランダムに、位置情報又はRSTDレポート）で、無線送信機120を設定する。
【００６８】
上述の第1および第2の実施形態は、ネットワーク100を展開するときに識別子を設定し、一方第3および第4の実施形態はネットワーク100の動作中に識別子を更新する。
【００６９】
動作A080
動作A070に続いて、無線送信機120は、ネットワークノード130から、測位基準信号の送信設定を受信する。説明したように、送信設定は、無線送信機120に関するセルIDと、測位基準信号を決定するための識別子とを含む。
【００７０】
動作A090
無線送信機120が送信設定を受信したので、無線送信機120は、セルIDおよび識別子に基づいて測位基準信号を決定する。例えば、以下の「PRSシーケンスの生成」のセクションを参照すること。 
測位基準信号の決定は、さらに拡張セルIDに基づいてもよい。
【００７１】
動作A100
動作A080の結果として無線送信機120が構成されると、無線送信機120は、例えば、受信設定に応じて測位基準信号を送信する。
【００７２】
動作A110
動作A100に続いて、ユーザ機器110は、受信設定に従って、無線送信機120から測位基準信号を受信する。ユーザ機器110が、測位基準信号が受信されることが予想される時を知るために、ユーザ機器110は、以下のセクション「PRSシーケンス生成」で説明するようにCinitを決定する。
【００７３】
動作A120
測位基準信号を受信すると、ユーザ機器110は、測位基準信号に基づいて、ユーザ機器110の位置に関する信号特性を推定する。信号特性は、信号強度、信号電力などであってよい。
【００７４】
動作A130
動作A120に続いて、ユーザ機器110は、ネットワークノード130に、推定された信号特性に関するレポートを送信する。レポートは、識別子と、オプションとして、拡張セルIDが直交測位基準信号を生成するために使用されたか否かに関する情報とを含んでよい。
【００７５】
動作A140
動作A130に続いて、ネットワークノード130は、ユーザ機器110から、測位基準信号のシーケンスに関する推定された信号特性についてのレポートを受信することができる。
【００７６】
PRSシーケンス生成 
ns=19、I=6、NIDcell=503、NCP=0のときcinit=151582702に対応するcinitの最大値が生じ、それはcinitの右端の28ビットを使用して表現できる。
【００７７】
可能なPRSシーケンスの数は、PRSパターンの衝突確率を最小にするために、できるだけ大きく設定するのが好ましい。既存の28ビット空間に基づいて、左端の3ビットを使用して、より多くの直交PRSシーケンスを作成することができる。
【００７８】
確実に、入力、例えばN_CP、ns、I、NASID、N^cell_idの組が、固有のc_init値を生成する一方で、PRSシーケンスの数を増大させるための式は、c_initの31ビット空間全部を使用しなくてはならない。ASID要素は、以下の例に従ってc_initに導入することができる。
【００７９】
【数５】
2019523390.tif 000008
【００８０】
この例では、NASIDフィールドを含む左端の3ビットは0〜7の範囲の値をとることができ、その解法は8*504=4032個の直交PRSシーケンスを生成する。提案されたc*initを以下に示す。
【００８１】
【表２】
2019523390.tif 000009
【００８２】
上記表は、cinitの初期化の例である。この場合、測位基準信号を決定するための識別子は、NASID、別名ASIDにより例示される。
【００８３】
一実施形態では、NASIDはTP-IDを表す。別の実施形態では、それはPCI曖昧性問題を低減するための値を表す。別の実施形態では、NASIDは、セルポーションIDの関数として得ることができる。例えば、セルポーションIDの合計が8以下であれば、NASIDはセルポーションIDを表す。さもなければ、NASIDは、セルポーションID mod 8を表す。
【００８４】
別の例として、
【００８５】
【数６】
2019523390.tif 000010
【００８６】
である。
【００８７】
この例では、NASIDは0〜4095の範囲内にある。
【００８８】
また、この例では、左端の3ビットはASID要素によって設定されるが、右端の28ビットもASIDを使用して設定され、これにより、最初の例の4032個のシーケンスと比較して4096個の固有シーケンスが生成される。
【００８９】
周波数シフトは現在、PCI mod 6に基づいており、TP固有PRSのNASID要素を導入することで、干渉を低減するために異なる周波数シフトを使用することが同じセル内のTPにとって有益である。周波数シフトは、NASIDまたは既存のPCI mod 6解法の使用に選択的に基づいている。この選択性は、周波数シフトがNASIDまたはPCIのどちらに基づいているかを含む表示でプロトコルを拡張することにより、LPPに設定できる。
【００９０】
それに応じてLPPはΝASIDと周波数シフトのオプションを含むように拡張される。
-- ASN1START
OTDOA-ReferenceCellInfo ::= SEQUENCE {
physCellId                  INTEGER (0..503),
cellGlobalId              ECGI                  OPTIONAL,        -- Need ON
earfcnRef                   ARFCN-ValueEUTRA          OPTIONAL,             --Cond NotSameAsServ0
antennaPortConfig           ENUMERATED {ports1-or-2, ports4, ... }
OPTIONAL,        --Cond NotSameAsServ1
cpLength                    ENUMERATED { normal, extended, ... },
prsInfo                     PRS-Info              OPTIONAL,            --Cond PRS
...,
[[ earfcnRef-v9a0           ARFCN-ValueEUTRA-v9a0      OPTIONAL             --Cond NotSameAsServ2
]],
[[ N_ASID                INTEGER (0...7)            OPTIONAL               --
v_shift                     ENUMERATED {N_ASID,PCI}   OPTIONAL
]]
}
-- ASN1STOP。
【００９１】
別の実施形態では、周波数シフトは、周波数シフトを示す0〜5の間の数を含むv_shiftによって設定される。これにより、ネットワーク側でより多くの設定が可能になり、v_shiftを動的に調整できるようになる。
【００９２】
別の実施形態では、v_shift要素は、v_shift=mod（NASID+PCI、6）を示す。
【００９３】
別の実施形態では、2つの同じPCI TPが不運にも同じNASIDを例えば高密度配置に起因して所有している状況では、追加のPRSミュートパターンを設定して両方のTPに適用することができる。 
さらに別の実施形態では、セルIDは、503を超えるセルID値として導入される仮想セルIDを含むように拡張される。
【００９４】
1つのモードでは、これらは、以下のようにセルIDフィールドを、503を超えて拡張することによって定義される。
【００９５】
cellID_ext(extPhysCellID) = 504 + 仮想セルID、
ここで仮想セルIDは0, 1 ... (max_no_virtual_cell_IDs-1)である。
【００９６】
max_no_virtual_cell_IDsが388以下であれば、ASIDのために3ビットを残すことが可能である。図12および図13に、仮想セルIDを用いる手順を示す。
【００９７】
本発明の別の態様では、物理セルIDは、範囲（0..891）（またはより狭い）を有する新しい属性physCell1D_rel14で置き換えられ、
【００９８】
【数７】
2019523390.tif 000011
【００９９】
として定義される。
【０１００】
ここでextPhysCellIDは例えばセルポーションを符号化できる。
【０１０１】
さらに、無線送信機120などの基地局は、LPPプロトコル（3GPP TS36.455、セクション9.2.7）、OTDOAセル情報を介してOTDOA設定に関するネットワークノード130からの要求を受信することもできる。このIEは、セルのOTDOA情報を含む。このプロトコルは、ASIDを含むように拡張することができる（下の表の下線付きのlEを参照）。
【０１０２】
【表３】
2019523390.tif 000012
【０１０３】
【表４】
2019523390.tif 000013
【０１０４】
【表５】
2019523390.tif 000014
【０１０５】
例１：高密度ネットワーク展開におけるPCI曖昧性シナリオ
この例では、PCI=0を持つ2つのセル（セルをPCI0,1とPCI0,2と表す）を考慮することで、PCIの曖昧性問題を示す。2つのセルは、起動中のミュート手順を持つ高密度展開において両方とも聞くことができる。既存の解決策では、2つのセルは同じPRSシーケンスを取得し、そうするとUEは2つの信号を分離できず、たとえUEが信号を区別できたとしても、LPPが固有の識別子を提供しないため、PCI0,1とPCI0,2のRSTDを報告できない。 
本明細書の少なくともいくつかの実施形態によれば、ネットワーク130は、NASID=0を使用するためにPCI0,1を、NASID=1を使用するためにPCI0,2を割りあててよい。これにより直交シーケンスが生成され、その結果有益な干渉条件が生成され、さらに、NASID要素を使用することによって、LPPにおいてセルを一意に識別できる。
【０１０６】
例2：同じマクロセルに対応するTPのためのPCI曖昧性シナリオ
この例では、本明細書のいくつかの実施形態は、TP固有PRSを作製するために使用される。図5に従って、6つのTPがファイバを介してマクロセルに接続されているとする。6つのセルには、NASID要素を使用して直交PRSシーケンスに割り当てることができ、たとえば、TP1はNASID=0を使用し、TP2はNASID=1を使用する。これらの実施形態はまた、TP固有PRSがセル内だけでなく504セルの領域全体にわたって固有であるので、複数の非連結TPを有する隣接セルに有益な干渉特性も提供する。
【０１０７】
図7aには、ユーザ機器110における例示的な方法の概略的なフローチャートが示されている。同じまたは類似の特徴を示すために上記と同じ参照番号が使用されており、特に同じまたは類似の動作を示すために同じ参照番号が使用されている。したがって、ユーザ機器110は、測位基準信号を管理する方法を実行する。
【０１０８】
上述したように、セルIDは、物理セルIDおよび拡張セルIDうちの1つを含むことができる。
【０１０９】
以下の動作の1つ以上は任意の適切な順序で実行してよい。
【０１１０】
動作A020
ユーザ機器110は、ネットワークノード130から、能力要求を受信することができる。
【０１１１】
動作A030
要求がユーザ機器110によって受信されると、ユーザ機器110は、例えば、リリースバージョンなどをチェックして、それの、すなわちユーザ機器110の能力を見つける。次に、ユーザ機器110は、能力に関する応答をネットワークノード130に送信することができ、その応答は、識別子に基づく測位基準信号のサポートに関する第1の指示を含む。その応答メッセージは能力提供メッセージであってよい。
【０１１２】
さらに、その応答は、拡張セルIDに基づく測位基準信号のサポートに関する第2の指示を含むことができる。
【０１１３】
動作A060
さらに、ユーザ機器110は、ネットワークノード130から、無線送信機120に関連する測位基準信号の受信設定を受信する。説明したように、受信設定は、無線送信機120に関するセルIDと、例えば必要に応じて測位基準信号を決定するための識別子とを含む。
【０１１４】
動作A110
動作A100に続いて、ユーザ機器110は、受信設定に従って、無線送信機120から測位基準信号を受信する。ユーザ機器110が、測位基準信号が受信されることが予想される時を知るために、ユーザ機器110は、以下のセクション「PRSシーケンス生成」で説明するようにCinitを決定する。
【０１１５】
動作A120
測位基準信号を受信すると、ユーザ機器110は、測位基準信号に基づいて、ユーザ機器110の位置に関する信号特性を推定する。信号特性は、信号強度、信号電力などであってよい。
【０１１６】
動作A130
動作A120に続いて、ユーザ機器110は、ネットワークノード130に、推定された信号特性に関するレポートを送信する。レポートは、識別子と、オプションとして、拡張セルIDが直交測位基準信号を生成するために使用されたか否かに関する情報とを含んでよい。
【０１１７】
図7bを参照すると、図1のユーザ機器110の実施形態の概略ブロック図が示されている。
【０１１８】
ユーザ機器110は、本明細書で説明する方法を実行するための手段などの処理モジュール701を備えていてよい。この手段は、1つまたは複数のハードウェアモジュールおよび/または1つまたは複数のソフトウェアモジュールの形で具体化される。 
ユーザ機器110は、メモリ702をさらに備えていてよい。メモリは、例えばコンピュータプログラム703（コンピュータ読み取り可能コードユニットを含む。）の形態で命令を含むか格納するなどで有していてよい。
【０１１９】
本明細書のいくつかの実施形態によれば、ユーザ機器110および/または処理モジュール701は、例示的なハードウェアモジュールとしての処理回路704を備える。したがって、処理モジュール701は、処理回路704の形態で実現されてもよいし、処理回路704によって実現されてもよい。命令は、処理回路704によって実行可能であり、それにより、ユーザ機器110は、図6の方法を実行するように動作する。別の例として、命令は、ユーザ機器110および/または処理回路704によって実行されると、ユーザ機器110に図6による方法を実行させることができる。
【０１２０】
図7bは、担体705すなわちプログラム担体をさらに示しており、これは、直上で説明したコンピュータプログラム703を含む。
【０１２１】
いくつかの実施形態では、処理モジュール701は、適用可能であれば、以下に説明する受信モジュールおよび/または送信モジュールによって例示され得る入出力モジュール706を含む。
【０１２２】
さらなる実施形態では、ユーザ機器110および/または処理モジュール701は、例示的なハードウェアモジュールとして、受信モジュール710、推定モジュール720、および送信モジュール730のうちの1つ以上を含んでいてよい他の例では、前述の例示的なハードウェアモジュールの1つまたは複数は、1つまたは複数のソフトウェアモジュールとして実装されてもよい。
【０１２３】
したがって、ユーザ機器110は、測位基準信号を管理するように構成されている。
【０１２４】
したがって、上述した様々な実施形態によれば、ユーザ機器110および/または処理モジュール701および/または受信モジュール710は、ネットワークノード130から、無線送信機120に関する測位基準信号の受信設定を受信するように構成され、ここで受信設定は、無線送信機120に関するセルIDと、測位基準信号を決定するための識別子とを含む。
【０１２５】
ユーザ機器110および/または処理モジュール701および/または受信モジュール710、または別の受信モジュール（不図示）は、受信設定に従って、無線送信機120からの測位基準信号を受信するように構成される。
【０１２６】
ユーザ機器110および/または処理モジュール701および/または推定モジュール720は、測位基準信号に基づいて、ユーザ機器110の位置に関する信号特性を推定するように構成される。
【０１２７】
さらに、ユーザ機器110および/または処理モジュール701および/または受信モジュール730は、推定された信号特性に関するレポートをネットワークノード130に送信するよう構成される。 
セルIDは、物理セルIDおよび拡張セルIDうちの1つを含むことができる。
【０１２８】
ユーザ機器110および/または処理モジュール701および/または受信モジュール710、またはさらなる受信モジュール（不図示）は、ネットワークノード130から、能力要求を受信するように構成されてよい。さらに、ユーザ機器110および/または処理モジュール701および/または送信モジュール730、または別の送信モジュール（不図示）は、ネットワークノード130へと、能力に関する応答を送信するように構成されてもよく、応答は、識別子に基づいて測位基準信号についてのサポートに関する第1の指示を含む。
【０１２９】
応答は、拡張セルIDに基づく測位基準信号のサポートに関する第2の指示を含むことができる。
【０１３０】
図8aには、無線送信機120における例示的な方法の概略的なフローチャートが示されている。再び、同じまたは類似の特徴を示すために上記と同じ参照番号が使用されており、特に同じまたは類似の動作を示すために同じ参照番号が使用されている。したがって、無線送信機120は、測位基準信号を管理する方法を実行する。 
上述したように、セルIDは、物理セルIDおよび拡張セルIDうちの1つを含むことができる。
【０１３１】
以下の動作の1つ以上は任意の適切な順序で実行してよい。
【０１３２】
動作A080
無線送信機120は、ネットワークノード130から、測位基準信号の送信設定を受信する。説明したように、送信設定は、無線送信機120に関するセルIDと、測位基準信号を決定するための識別子とを含む。
【０１３３】
動作A090
無線送信機120が送信設定を受信したので、無線送信機120は、セルIDおよび識別子に基づいて測位基準信号を決定する。例えば、以下の「PRSシーケンスの生成」を参照すること。
【０１３４】
測位基準信号の決定は、さらに拡張セルIDに基づいてもよい。
【０１３５】
動作A100
動作A080の結果として無線送信機120が構成されると、無線送信機120は、例えば、受信設定に応じて測位基準信号を送信する。
【０１３６】
図8bを参照すると、図1の無線送信機120の実施形態の概略ブロック図が示されている。
【０１３７】
無線送信機120は、本明細書で説明する方法を実行するための手段などの処理モジュール801を備えていてよい。この手段は、1つまたは複数のハードウェアモジュールおよび/または1つまたは複数のソフトウェアモジュールの形で具体化される。
【０１３８】
無線送信機120は、メモリ802をさらに備えていてよい。メモリは、例えばコンピュータプログラム803（コンピュータ読み取り可能コードユニットを含む。）の形態で命令を含むか格納するなどで有していてよい。
【０１３９】
本明細書のいくつかの実施形態によれば、無線送信機120および/または処理モジュール801は、例示的なハードウェアモジュールとしての処理回路804を備える。したがって、処理モジュール801は、処理回路804の形態で実現されてもよいし、処理回路704によって実現されてもよい。命令は、処理回路804によって実行可能であり、それにより、無線送信機120は、図6の方法を実行するように動作する。別の例として、命令は、無線送信機120および/または処理回路804によって実行されると、無線送信機120に図6による方法を実行させることができる。
【０１４０】
図8bは、担体805すなわちプログラム担体をさらに示しており、これは、直上で説明したコンピュータプログラム803を含む。
【０１４１】
いくつかの実施形態では、処理モジュール801は、適用可能であれば、以下に説明する受信モジュールおよび/または送信モジュールによって例示され得る入出力モジュール806を含む。
【０１４２】
さらなる実施形態では、無線送信機120および/または処理モジュール801は、例示的なハードウェアモジュールとして、受信モジュール810、決定モジュール820、および送信モジュール830のうちの1つ以上を含んでいてよい他の例では、前述の例示的なハードウェアモジュールの1つまたは複数は、1つまたは複数のソフトウェアモジュールとして実装されてもよい。
【０１４３】
したがって、無線送信機120は、測位基準信号を管理するように構成されている。
【０１４４】
したがって、上述した様々な実施形態によれば、無線送信機120および/または処理モジュール801および/または受信モジュール810は、ネットワークノード130から、測位基準信号の送信設定を受信するように構成され、ここで送信設定は、無線送信機120に関するセルIDと、測位基準信号を決定するための識別子とを含む。
【０１４５】
無線送信機120および/または処理モジュール801および/または判定モジュール820は、セルIDおよび識別子に基づいて測位基準信号を決定するように構成される。
【０１４６】
無線送信機120および/または処理モジュール801および/または送信モジュール830は、測位基準信号を送信するように構成される。
【０１４７】
セルIDは、物理セルIDおよび拡張セルIDのうちの1つを含むことができ、測位基準信号の決定は、さらに、前記拡張セルIDに基づいてよい。
【０１４８】
図9aには、ネットワークノード130における例示的な方法の概略的なフローチャートが示されている。再び、同じまたは類似の特徴を示すために上記と同じ参照番号が使用されており、特に同じまたは類似の動作を示すために同じ参照番号が使用されている。したがって、ネットワークノード130は、測位基準信号を設定するための方法を実行する。
【０１４９】
上述したように、セルIDは、物理セルIDおよび拡張セルIDうちの1つを含むことができる。
【０１５０】
以下の動作の1つ以上は任意の適切な順序で実行してよい。
【０１５１】
本明細書で開示するような測位基準信号の生成を導入する場合、そのような測位基準信号のサポートは、UEの能力に関連してもよい。したがって、一実施形態では、ネットワークノード130は、動作A010からA040に示すように、ユーザ機器110から能力情報を取得する。
【０１５２】
動作A010
ネットワークノード130は、ユーザ機器110に、能力要求メッセージなどの能力要求を送信する。能力要求は、具体的には、識別子に基づく測位基準信号のサポートに関連し得る。
【０１５３】
動作A040
さらに、ネットワークノード130は、ユーザ機器110から、能力に関する応答を受信することができる。上述したように、応答は、測位基準信号を決定するための識別子に基づく測位基準信号のサポートに関する第1の指示を含む。
【０１５４】
応答は、拡張セルIDに基づく測位基準信号のサポートに関する第2の指示を含むことができる。
【０１５５】
動作A050
例えば、ネットワークノード130は、ユーザ機器110の位置に関するコマンドまたは要求（図6には図示せず）を受信すると、測位基準信号の受信設定をユーザ機器110に送信する。受信設定は、無線送信機120に関するセルIDと、測位基準信号を決定するための識別子とを含む。したがって、受信設定は、動作A040で受信された応答に依存してよい。通常、それは、ユーザ機器110が、IDが受信設定に含まれているというIDに基づいた測位基準信号をサポートする場合のみである。
【０１５６】
動作A070
さらに、ネットワークノード130は、無線送信機120に、測位基準信号の送信設定を送信する。送信設定は、動作A050で送信された受信設定に対応するセルIDおよび識別子を含む。この動作は、動作A050の前に実行することができる。
【０１５７】
動作A140
さらに、ネットワークノード130は、ユーザ機器110から、測位基準信号のシーケンスに関する推定された信号特性についてのレポートを受信することができる。
【０１５８】
図9bを参照すると、図1のネットワークノード130の実施形態の概略ブロック図が示されている。 
ネットワークノード130は、本明細書で説明する方法を実行するための手段などの処理モジュール901を備えていてよい。この手段は、1つまたは複数のハードウェアモジュールおよび/または1つまたは複数のソフトウェアモジュールの形で具体化される。
【０１５９】
ネットワークノード130は、メモリ902をさらに備えていてよい。メモリは、例えばコンピュータプログラム903（コンピュータ読み取り可能コードユニットを含む。）の形態で命令を含むか格納するなどで有していてよい。
【０１６０】
本明細書のいくつかの実施形態によれば、ネットワークノード130および/または処理モジュール901は、例示的なハードウェアモジュールとしての処理回路904を備える。したがって、処理モジュール901は、処理回路904の形態で実現されてもよいし、処理回路904によって実現されてもよい。命令は、処理回路904によって実行可能であり、それにより、ネットワークノード130は、図6の方法を実行するように動作する。別の例として、命令は、ネットワークノード130および/または処理回路904によって実行されると、無線送信機130に図6による方法を実行させることができる。
【０１６１】
図9bは、担体905すなわちプログラム担体をさらに示しており、これは、直上で説明したコンピュータプログラム903を含む。 
いくつかの実施形態では、処理モジュール901は、適用可能であれば、以下に説明する受信モジュールおよび/または送信モジュールによって例示され得る入出力モジュール906を含む。
【０１６２】
さらなる実施形態では、ネットワークノード130および/または処理モジュール901は、例示的なハードウェアモジュールとして、送信モジュール910および受信モジュール920のうちの1つ以上を含んでいてよい他の例では、前述の例示的なハードウェアモジュールの1つまたは複数は、1つまたは複数のソフトウェアモジュールとして実装されてもよい。
【０１６３】
したがって、ネットワークノード130は、測位基準信号を設定するよう構成される。
【０１６４】
したがって、上述した様々な実施形態によれば、ネットワークノード130および/または処理モジュール901および/または送信モジュール910は、ユーザ機器110へと、測位基準信号の受信設定を送信するように構成され、ここで受信設定は、無線送信機120に関するセルIDと、測位基準信号を決定するための識別子とを含む。
【０１６５】
さらに、ネットワークノード130および/または処理モジュール901および/または送信モジュール910、または別の送信モジュール（不図示）は、無線送信機120へと、測位基準信号の送信設定を送信するように構成され、ここで、送信設定は、セルIDおよび識別子を含む。
【０１６６】
ネットワークノード130および/または処理モジュール901および/または受信モジュール920は、ユーザ機器110から、測位基準信号に関する推定された信号特性に関するレポートを受信するよう構成されてよい。
【０１６７】
セルIDは、物理セルIDおよび拡張セルIDうちの1つを含むことができる。 
ネットワークノード130および/または処理モジュール901および/または送信モジュール910、または別の受信モジュール（不図示）は、ユーザ機器130へと、能力要求を送信するように構成されてよい。
【０１６８】
ネットワークノード130および/または処理モジュール901および/または受信モジュール920、または別の受信モジュール（不図示）は、ユーザ機器110から、能力に関する応答を受信するように構成されてよく、応答は、測位基準信号を決定するための識別子に基づいた測位基準信号についてのサポートに関する第1の指示を含む。
【０１６９】
応答は、拡張セルIDに基づく測位基準信号のサポートに関する第2の指示を含むことができる。
【０１７０】
本明細書で使用する場合、用語「ノード」または「ネットワークノード」は、デバイス、装置、コンピュータ、サーバなどの物理エンティティの1つまたは複数を指してよい。これは、本明細書の実施形態が1つの物理エンティティで実施され得ることを意味し得る。あるいは、本明細書の実施形態は、1つまたは複数の物理エンティティを含む構成などの複数の物理エンティティで実施されてもよい。すなわち、実施形態は、クラウドシステムの1組のサーバマシンなどの分散方式で実施してもよい。
【０１７１】
本明細書で使用される場合、用語「モジュール」は、1つまたは複数の機能モジュールを指してよく、その各々は、ノード内の1つまたは複数のハードウェアモジュールおよび/または1つまたは複数のソフトウェアモジュールおよび/またはソフトウェア/ハードウェア統合モジュールとして実施できる。いくつかの例では、モジュールは、ノードのソフトウェアおよび/またはハードウェアとして実現される機能ユニットを表していてよい。
【０１７２】
本明細書で使用される場合、用語「プログラム担体」または「担体」は、電子信号、光信号、無線信号およびコンピュータ可読媒体のひとつを指してよい。いくつかの例では、プログラム担体は、電子信号、光学信号、および/または無線信号などの一時的な伝播信号を排除してよい。したがって、これらの実施例では、担体は、非一時的コンピュータ可読媒体のような非一時的な担体であってもよい。
【０１７３】
本明細書で使用される場合、用語「処理モジュール」は、1つ又は複数のハードウェアモジュール、1つ又は複数のソフトウェアモジュール、またはそれらの組み合わせを含み得る。そのようなモジュールは、ハードウェア、ソフトウェアまたはハードウェア-ソフトウェア統合モジュールであれば、本明細書中に開示されるように、決定手段、推定手段、捕捉手段、関連付け手段、比較手段、識別手段、選択手段、受信手段、送信手段などであってよい。一例として、表現「手段」は、図と共に上に列挙したモジュールに対応するモジュールであってよい。
【０１７４】
本明細書で使用される場合、用語「ソフトウェアモジュール」は、ソフトウェアアプリケーション、ダイナミックリンクライブラリ（DLL）、ソフトウェアコンポーネント、ソフトウェアオブジェクト、コンポーネントオブジェクトモデル（COM）に基づくオブジェクト、ソフトウェアコンポーネント、ソフトウェア関数、ソフトウェアエンジン、実行可能バイナリソフトウェアファイルなどを含んでよい。
【０１７５】
本明細書で使用される場合、用語「処理回路」は、処理ユニット、プロセッサ、特定用途向け集積回路（ASIC）、フィールドプログラマブルゲートアレイ（FPGA）などを指してよい。処理回路などは、1つまたは複数のプロセッサカーネルを備えていてよい。
【０１７６】
本明細書で使用される場合、表現「ように／ために構成される」は、処理回路が、ソフトウェア構成および/またはハードウェア構成によって、本明細書に記載された1つまたは複数の動作を実行するように構成されていること（適合される又は動作するなど）を意味してよい。
【０１７７】
本明細書で使用される場合、用語「動作」は、動作、ステップ、操作、応答、反応、アクティビティなどを指してよい。本明細書での動作は、適用可能な場合、2つ以上の副動作に分割されてもよいことに留意されたい。さらに、適用可能な場合には、本明細書に記載される2つ以上の動作は、単一の動作に併合され得ることに留意されたい。
【０１７８】
本明細書で使用する用語「メモリ」は、ハードディスク、磁気記憶媒体、ポータブルコンピュータディスケットまたはディスク、フラッシュメモリ、ランダムアクセスメモリ（RAM）などを指してもよい。さらに、用語「メモリ」は、プロセッサなどの内部レジスタメモリを指してもよい。
【０１７９】
本明細書で使用する用語「コンピュータ可読媒体」は、ユニバーサルシリアルバス（USB）メモリ、DVDディスク、ブルーレイディスク、データストリームとして受信されるソフトウェアモジュール、フラッシュメモリ、ハードドライブ、メモリスティックやマルチメディアカード（MMC）、セキュアデジタル（SD）カードなどのメモリカードであってよい。1つまたは複数のコンピュータ可読媒体の前述の例は、1つまたは複数のコンピュータプログラム製品として提供されてもよい。
【０１８０】
本明細書で使用される場合、用語「コンピュータ可読コードユニット」は、コンピュータプログラムのテキスト、コンパイルされた形式のコンピュータプログラムを表すバイナリファイルの一部または全部、またはその間の任意のものであってもよい。
【０１８１】
本明細書で使用される場合、表現「送信(transmit)」および「送信(send)」は、交換可能であると見なされる。これらの表現には、ブロードキャスト、ユニキャスト、グループキャストなどによる送信が含まれる。これに関連して、ブロードキャストによる送信は、範囲内の任意の権限を与えられた装置によって受信され復号されることができる。ユニキャストの場合、特定の1つのアドレス指定された装置は、送信を受信し、復号することができる。グループキャストの場合、特定のアドレス指定された装置のグループは、送信を受信し、復号することができる。
【０１８２】
本明細書で使用される場合、用語「数」および/または「値」は、二進数、実数、虚数または有理数などのいかなる数字であってよい。さらに、「数字」および/または「値」は、文字または文字列などの1つまたは複数の文字であってもよい。「数」および/または「値」はまた、ビット列、すなわちゼロおよび/または1の列で表すこともできる。
【０１８３】
本明細書で使用される場合、用語「〜のセット」は、何かの1つ以上を指してよい。例えば、装置のセットは1つまたは複数の装置を指してもよく、パラメータのセットは本明細書の実施形態による1つまたは複数のパラメータなどを指してもよい。
【０１８４】
本明細書で使用される場合、表現「いくつかの実施形態において」は、記載された実施形態の特徴が本明細書に開示される他の実施形態と組み合わせられ得ることを示すために使用されている。
【０１８５】
様々な態様の実施形態が記載されたとしても、それらの多くの異なる変更、修正などは当業者にとって明らかになるであろう。したがって、記載された実施形態は、本開示の範囲を限定することを意図するものではない。
【図１】
2019523390.tif 000015
【図２ａ】
2019523390.tif 000016
【図２ｂ】
2019523390.tif 000017
【図３ａ】
2019523390.tif 000018
【図３ｂ】
2019523390.tif 000019
【図４】
2019523390.tif 000020
【図５】
2019523390.tif 000021
【図６】
2019523390.tif 000022
【図７ａ】
2019523390.tif 000023
【図７ｂ】
2019523390.tif 000024
【図８ａ】
2019523390.tif 000025
【図８ｂ】
2019523390.tif 000026
【図９ａ】
2019523390.tif 000027
【図９ｂ】
2019523390.tif 000028
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
ユーザ機器(110)により実行される、測位基準信号を管理するための方法であって、
ネットワークノード(130)から、無線送信機(120)に関する前記測位基準信号の受信設定を受信すること(A060)であって、前記受信設定は前記無線送信機(120)に関するセルIDと前記測位基準信号を決定するための識別子とを含む、ことと
前記受信設定に従って、前記無線送信機(120)からの前記測位基準信号を受信すること(A110)と、
前記測位基準信号に基づいて、前記ユーザ機器(110)の位置に関する信号特性を推定すること(A120)と、
推定された前記信号特性に関するレポートを前記ネットワークノード(130)に送信すること(A130)と、
を含む方法。
【請求項２】
請求項１に記載の方法であって、前記セルIDは、物理セルIDおよび拡張セルIDうちの1つを含む、方法。
【請求項３】
請求項１または２に記載の方法であって、前記方法は、
前記ネットワークノード(120)から、能力要求を受信すること(A020)と、
能力に関する応答を前記ネットワークノード(130)に送信すること(A030)であって、前記応答は、前記識別子に基づく測位基準信号のサポートに関する第1の指示を含むことと
を含む方法。
【請求項４】
請求項３に記載の方法であって、請求項２に従属する場合に、前記応答は、前記拡張セルIDに基づく測位基準信号のサポートに関する第2の指示を含む、方法。
【請求項５】
無線送信機(120)により実行される、測位基準信号を管理するための方法であって、前記方法は、
ネットワークノード(130)から前記測位基準信号の送信設定を受信すること(A080)であって、前記送信設定は前記無線送信機(120)に関するセルIDと測位基準信号を決定するための識別子とを含む、ことと
前記測位基準信号を、前記セルIDおよび前記識別子に基づいて決定すること(A090)と、
前記測位基準信号を送信すること(A100)と
を含む方法。
【請求項６】
請求項５に記載の方法であって、前記セルIDは、物理セルIDおよび拡張セルIDのうちの1つを含み、前記測位基準信号を決定することは、さらに、前記拡張セルIDに基づく、方法。
【請求項７】
ネットワークノード(130)により実行される、測位基準信号を構成するための方法であって、
ユーザ機器(110)へと測位基準信号の受信設定を送信すること(A050)であって、前記受信設定は無線送信機(120)に関するセルIDと測位基準信号を決定するための識別子とを含む、ことと
前記無線送信機(120)へと測位基準信号の送信設定を送信すること(A070)であって、前記送信設定は前記セルIDと前記識別子とを含む、ことと
を含む方法。
【請求項８】
請求項７に記載の方法であって、前記方法は、
前記ユーザ機器(110)から、前記測位基準信号のシーケンスに関する推定された信号特性についてのレポートを受信すること(A140)
を含む、方法。
【請求項９】
請求項７または８に記載の方法であって、前記セルIDは、物理セルIDおよび拡張セルIDうちの1つを含む、方法。
【請求項１０】
請求項７乃至９のいずれか一項に記載の方法であって、前記方法は、
ユーザ機器(110)へと、能力要求を送信すること(A010)と、
能力に関する応答を前記ユーザ機器(110)から受信すること(A040)であって、前記応答は、測位基準信号を決定するための識別子に基づく測位基準信号のサポートに関する第1の指示を含むことと
を含む方法。
【請求項１１】
請求項１０に記載の方法であって、請求項９に従属する場合に、前記応答は、前記拡張セルIDに基づく測位基準信号のサポートに関する第2の指示を含む、方法。
【請求項１２】
測位基準信号を管理するよう構成されたユーザ機器(110)であって、前記ユーザ機器(110)は、
ネットワークノード(130)から、無線送信機(120)に関する前記測位基準信号の受信設定を受信し、前記受信設定は前記無線送信機(120)に関するセルIDと前記測位基準信号を決定するための識別子とを含み、
前記受信設定に従って、前記無線送信機(120)からの前記測位基準信号を受信し、
前記測位基準信号に基づいて、前記ユーザ機器(110)の位置に関する信号特性を推定し、
推定された前記信号特性に関するレポートを前記ネットワークノード(130)に送信する、
ように構成されたユーザ機器(110)。 
【請求項１３】
請求項１２に記載のユーザ機器(110)であって、前記セルIDは、物理セルIDおよび拡張セルIDうちの1つを含む、ユーザ機器(110)。
【請求項１４】
請求項１２または１３に記載のユーザ機器(110)であって、前記ユーザ機器(110)は、前記ネットワークノード(130)から能力要求を受信し、前記ネットワークノード(130)へと能力に関する応答を送信し、前記応答は、前記識別子に基づく測位基準信号のサポートに関する第1の指示を含む
よう構成される、ユーザ機器(110)。
【請求項１５】
請求項１４に記載のユーザ機器(110)であって、請求項１３に従属する場合に、前記応答は、前記拡張セルIDに基づく測位基準信号のサポートに関する第2の指示を含む、ユーザ機器(110)。
【請求項１６】
測位基準信号を管理するよう構成された無線送信機(120)であって、前記無線送信機(120)は、
ネットワークノード(130)から前記測位基準信号の送信設定を受信し、前記送信設定は前記無線送信機(120)に関するセルIDと測位基準信号を決定するための識別子とを含み、
前記測位基準信号を、前記セルIDおよび前記識別子に基づいて決定し、
前記測位基準信号を送信する
よう構成される無線送信機(120)。
【請求項１７】
請求項１６に記載の無線送信機(120)であって、前記セルIDは、物理セルIDおよび拡張セルIDのうちの1つを含み、前記測位基準信号を決定することは、さらに、前記拡張セルIDに基づく、無線送信機(120)。
【請求項１８】
測位基準信号を管理するよう構成されたネットワークノード(130)であって、前記ネットワークノード(130)は、
ユーザ機器(110)へと測位基準信号の受信設定を送信し、前記受信設定は無線送信機(120)に関するセルIDと測位基準信号を決定するための識別子とを含み、
前記無線送信機(120)へと測位基準信号の送信設定を送信し、前記送信設定は前記セルIDと前記識別子とを含む、
よう構成されたネットワークノード(130)。
【請求項１９】
請求項１８に記載のネットワークノード(130)であって、ユーザ機器(110)から、前記測位基準信号のシーケンスに関する推定された信号特性に関するレポートを受信するようさらに構成されたネットワークノード(130)。
【請求項２０】
請求項１８または１９に記載のネットワークノード(130)であって、前記セルIDは、物理セルIDおよび拡張セルIDうちの1つを含む、ネットワークノード(130)。
【請求項２１】
請求項１８乃至２０のいずれか一項に記載のネットワークノード(130)であって、前記ネットワークノード(130)は、
ユーザ機器(110)へと、能力要求を送信し、
能力に関する応答を前記ユーザ機器(110)から受信し、前記応答は、測位基準信号を決定するための識別子に基づく測位基準信号のサポートに関する第1の指示を含む
よう構成されたネットワークノード(130)。
【請求項２２】
請求項２１に記載のネットワークノード(130)であって、請求項２０に従属する場合に、前記応答は、前記拡張セルIDに基づく測位基準信号のサポートに関する第2の指示を含む、ユーザ機器(110)。
【手続補正書】
【提出日】平成30年12月26日(2018.12.26)
【手続補正１】
【補正対象書類名】特許請求の範囲
【補正対象項目名】請求項２２
【補正方法】変更
【補正の内容】
【請求項２２】
請求項２１に記載のネットワークノード(130)であって、請求項２０に従属する場合に、前記応答は、前記拡張セルIDに基づく測位基準信号のサポートに関する第2の指示を含む、ネットワークノード(130)。
【国際調査報告】
2019523390.tif 000029
2019523390.tif 000030
2019523390.tif 000031